(57)【要約】  １つの例において、アイウェアが提供される。アイウェアは、レンズ及びレンズ上に形成されている液晶層を含む、レンズアセンブリと、液晶層に結合されている駆動回路であって、レンズアセンブリの光線透過率を制御するように、周囲光の強度の指示に基づいて液晶層に信号を印加するように構成されている、駆動回路とを備える。
2021536598.tif 000002
【特許請求の範囲】
【請求項１】
レンズ及び前記レンズ上に形成されている液晶層を含む、レンズアセンブリと、
前記液晶層に結合されている駆動回路であって、前記レンズアセンブリの光線透過率を制御するように、周囲光の強度の指示に基づいて前記液晶層に信号を印加するように構成されている、駆動回路と、
を備える、アイウェア。
【請求項２】
前記レンズアセンブリは、第１の偏光層及び第２の偏光層を更に含み、
前記レンズ及び前記液晶層は、前記第１の偏光層と前記第２の偏光層との間に挟まれており、
前記液晶層は、ねじれネマティック（ＴＮ）液晶デバイスを備える、請求項１に記載のアイウェア。
【請求項３】
前記レンズは、前記レンズを通った光と前記第１の偏光層及び前記第２の偏光層を通った光とが組み合わさって白色になるように、橙色に関連付けられる周波数範囲の可視光を選択的に通すように構成されている、請求項２に記載のアイウェア。
【請求項４】
前記レンズアセンブリは、前記レンズと前記第１の偏光層との間にメンブレンを更に備え、
前記メンブレンは、前記レンズを透過する前記周囲光に前記レンズが加える複屈折効果を低減するように構成されている、請求項２又は３に記載のアイウェア。
【請求項５】
前記ＴＮ液晶デバイスは、０〜９０度のねじれ角範囲を有し、
前記第１の偏光層の第１の吸収軸と、前記第２の偏光層の第２の吸収軸とが、９０度を形成する、請求項２〜４のいずれか一項に記載のアイウェア。
【請求項６】
前記ＴＮ液晶デバイスは、０〜１１０度のねじれ角範囲を有し、
前記第１の偏光層の第１の吸収軸と、前記第２の偏光層の第２の吸収軸とが、１１０度を形成する、請求項２〜４のいずれか一項に記載のアイウェア。
【請求項７】
前記液晶層は、ゲスト−ホスト型液晶デバイス、電場制御複屈折（ＥＣＢ）液晶デバイス、又はパイセルのうちの少なくとも１つを含む、請求項１〜６のいずれか一項に記載のアイウェア。
【請求項８】
前記液晶層は、第１の基板と第２の基板との間に挟まれており、
前記第１の基板と前記第２の基板とは、異なるラビング構成を有し、
前記液晶層の液晶分子の配向は、前記駆動回路によって印加される信号に応答して、ホモジニアス平面配向とホメオトロピック配向との間で変化する、請求項７に記載のアイウェア。
【請求項９】
前記液晶層及び前記駆動回路と結合されているセンサを更に備え、
前記センサは、前記周囲光の前記強度に基づいてセンサデータを生成するように構成され、
前記駆動回路は、前記センサデータに基づいて前記信号を制御するように構成されている、請求項１〜８のいずれか一項に記載のアイウェア。
【請求項１０】
前記センサは、１つ又は複数のソーラーセルを備える、請求項９に記載のアイウェア。
【請求項１１】
前記１つ又は複数のソーラーセルを備える１つ又は複数の透明メンブレンを更に備え、
前記１つ又は複数の透明メンブレンは、前記レンズ又は前記液晶層のうちの少なくとも１つに取り付けられる、請求項１０に記載のアイウェア。
【請求項１２】
前記１つ又は複数のソーラーセル及び前記駆動回路を包囲するハウジングを更に備え、
前記ハウジングは、前記１つ又は複数のソーラーセルを前記周囲光に曝露するピンホールを更に備える、請求項１０又は１１に記載のアイウェア。
【請求項１３】
前記レンズアセンブリは、第１のレンズと第１の液晶層とを含む第１のレンズアセンブリであり、
前記アイウェアは、第２のレンズと第２の液晶層とを含む第２のレンズアセンブリを備え、
前記アイウェアは、前記第１のレンズアセンブリと前記第２のレンズアセンブリとを接続する接続構造を備え、
前記ハウジングは、前記接続構造に取り付けられる、請求項１２に記載のアイウェア。
【請求項１４】
前記ハウジングは、前記レンズアセンブリに取り付けられる、請求項１２に記載のアイウェア。
【請求項１５】
前記ピンホールと前記１つ又は複数のソーラーセルとの間に配置される導光体を更に備え、
前記導光体は、
前記ピンホールを介して受ける周囲光のナロービームを受け取り、
前記ナロービームを周囲光シートに変換し、
前記周囲光シートを前記１つ又は複数のソーラーセルに向けて方向付ける、
ように構成されている、請求項１２〜１４のいずれか一項に記載のアイウェア。
【請求項１６】
前記導光体は、アクリル材料を含む、請求項１５に記載のアイウェア。
【請求項１７】
前記ハウジングを部分的に覆うコーティングを更に備える、請求項１２〜１６のいずれか一項に記載のアイウェア。
【請求項１８】
ユーザが、前記周囲光の前記強度に基づいて前記レンズアセンブリの前記光線透過率を選択することを可能にするスイッチを更に備え、
前記駆動回路は、前記スイッチによる前記選択に基づいて、前記レンズアセンブリの前記光線透過率を制御するように構成されている、請求項１〜１７のいずれか一項に記載のアイウェア。
【請求項１９】
前記レンズアセンブリの背後に配置されるカメラであって、前記レンズアセンブリを介して光を受けて画像を生成するように構成されているカメラと、
前記レンズアセンブリ及び前記カメラの一部に重なるコーティングであって、前記レンズアセンブリの前記一部の光学特性を、前記レンズアセンブリの残りの部分から独立して設定するように構成されているコーティングと、
を更に備える、請求項１〜１８のいずれか一項に記載のアイウェア。
【請求項２０】
無線信号を送受信するための無線インタフェース、又は、
オーディオ信号を入出力するためのオーディオインタフェース、
のうちの少なくとも１つを更に備える、請求項１〜１９のいずれか一項に記載のアイウェア。
【発明の詳細な説明】
【技術分野】
【０００１】
［関連出願］
本特許出願は、「Ｌｉｑｕｉｄ  Ｃｒｙｓｔａｌ  Ｓｕｎｇｌａｓｓ  ａｎｄ  Ｍｕｌｔｉｃｏｌｏｒ  Ｌｉｑｕｉｄ  Ｃｒｙｓｔａｌ  Ｗｒｉｔｉｎｇ  Ｄｅｖｉｃｅ」と題する２０１８年９月１３日付けで出願された米国仮特許出願第６２／７３０，８００号、及び、「Ｄｉｍｍａｂｌｅ  Ｅｙｅｗｅａｒ」と題する２０１９年３月２２日付けで出願された米国仮特許出願第６２／８２２，３３１号、並びに、「Ｄｉｍｍａｂｌｅ  Ｅｙｅｗｅａｒ」と題する２０１９年９月１２日付けで出願された米国通常特許出願第１６／５６９，３７４号に対する優先権を主張する。これらの出願は、本明細書の譲受人に譲受され、参照によってその全体がすべての目的のために本明細書に援用される。
【背景技術】
【０００２】
本開示は、概して、アイウェアに関し、より具体的には、液晶技術に基づく調光可能なアイウェアに関する。
【０００３】
サングラス等の保護アイウェアは、高エネルギー光（例えば、太陽光）が目に損傷又は不快感を与えることを防止することができる。サングラスは、一般に、高エネルギー光から目を保護するために、光の少なくとも一部を遮断及び／又は吸収し、目に入る光の強度を低減することができるレンズを備える。レンズは、例えば、目が全光パワーを受けるのを防止するように、光パワーの特定の割合を遮断及び／又は吸収するように予め構成されている光線透過率を有する偏光層、着色コーティング等を備えてよい。
【０００４】
サングラスは、目を高エネルギー光から保護できるが、固定の光線透過率を有するサングラスは、特に、光強度が比較的強い環境（例えば、屋外）から、光強度が比較的低い環境（例えば、屋内又は道路トンネル）にユーザが移動する場合に、ユーザに不都合をもたらす可能性がある。サングラスは、弱光環境においても同じ割合の光パワーを遮断及び／又は吸収するので、弱光環境において、サングラスを着用しているユーザの視知覚を大幅に阻害し得る。結果として、ユーザは、弱光環境においてサングラスを外す必要があり得、これがユーザエクスペリエンスを低下させる。
【発明の概要】
【０００５】
本開示は、概して、アイウェアに関し、より具体的には、液晶技術に基づく調光可能なアイウェアに関する。 
【０００６】
１つの例において、アイウェアが提供される。アイウェアは、レンズと、レンズ上に形成される液晶層とを含むレンズアセンブリを備える。アイウェアは、液晶層に結合されている駆動回路であって、レンズアセンブリの光線透過率を制御するように、周囲光の強度の指示に基づいて液晶層に信号を印加するように構成されている、駆動回路を更に備える。
【０００７】
１つの態様において、レンズアセンブリは、第１の偏光層及び第２の偏光層を更に含む。レンズ及び液晶層は、第１の偏光層と第２の偏光層との間に挟まれる。液晶層は、ねじれネマティック（ＴＮ）液晶デバイスを備える。
【０００８】
１つの態様において、レンズは、レンズを通った光と第１の偏光層及び第２の偏光層を通った光とが組み合わさって白色になるように、橙色に関連付けられる周波数範囲の可視光を選択的に通すように構成されている。
【０００９】
１つの態様において、レンズアセンブリは、レンズと第１の偏光層との間にメンブレンを更に備える。メンブレンは、レンズを透過する周囲光にレンズが加える複屈折効果を低減するように構成されている。
【００１０】
１つの態様において、ＴＮ液晶デバイスは、０〜９０度のねじれ角範囲を有する。第１の偏光層の第１の吸収軸と、第２の偏光層の第２の吸収軸とは、９０度を形成する。
【００１１】
１つの態様において、ＴＮ液晶デバイスは、０〜１１０度のねじれ角範囲を有する。第１の偏光層の第１の吸収軸と、第２の偏光層の第２の吸収軸とは、１１０度を形成する。
【００１２】
１つの態様において、液晶層は、ゲスト−ホスト型液晶デバイス、電場制御複屈折（ＥＣＢ）液晶デバイス、又はパイセルのうちの少なくとも１つを含む。
【００１３】
１つの態様において、液晶層は、第１の基板と第２の基板との間に挟まれる。第１の基板と第２の基板とは、異なるラビング構成を有する。液晶層の液晶分子の配向は、駆動回路によって印加される信号に応答して、ホモジニアス平面配向とホメオトロピック配向との間で変化する。 
【００１４】
１つの態様において、アイウェアは、液晶層及び駆動回路と結合されているセンサを更に備える。センサは、周囲光の強度に基づいてセンサデータを生成するように構成されている。駆動回路は、センサデータに基づいて信号を制御するように構成されている。
【００１５】
１つの態様において、センサは、１つ又は複数のソーラーセルを備える。 
【００１６】
１つの態様において、アイウェアは、１つ又は複数のソーラーセルを備える１つ又は複数の透明メンブレンを更に備える。１つ又は複数の透明メンブレンは、レンズ又は液晶層のうちの少なくとも１つに取り付けられる。
【００１７】
１つの態様において、アイウェアは、１つ又は複数のソーラーセル及び駆動回路を包囲するハウジングを更に備える。ハウジングは、１つ又は複数のソーラーセルを周囲光に曝露するピンホールを更に備える。
【００１８】
１つの態様において、レンズアセンブリは、第１のレンズと第１の液晶層とを含む第１のレンズアセンブリである。アイウェアは、第２のレンズと第２の液晶層とを含む第２のレンズアセンブリを備える。アイウェアは、第１のレンズアセンブリと第２のレンズアセンブリとを接続する接続構造を備える。ハウジングは、接続構造に取り付けられる。
【００１９】
１つの態様において、ハウジングは、レンズアセンブリに取り付けられる。
【００２０】
１つの態様において、アイウェアは、ピンホールと１つ又は複数のソーラーセルとの間に配置される導光体を更に備える。導光体は、ピンホールを介して受ける周囲光のナロービームを受け取り、ナロービームをシート状の周囲光に変換し、シート状の周囲光を１つ又は複数のソーラーセルに向けて方向付けるように構成されている。
【００２１】
１つの態様において、導光体は、アクリル材料を含む。
【００２２】
１つの態様において、アイウェアは、ハウジングを部分的に覆うコーティングを更に備える。
【００２３】
１つの態様において、アイウェアは、ユーザが、周囲光の強度に基づいてレンズアセンブリの光線透過率を選択することを可能にするスイッチを更に備える。駆動回路は、スイッチによる選択に基づいて、レンズアセンブリの光線透過率を制御するように構成されている。
【００２４】
１つの態様において、アイウェアは、レンズアセンブリの背後に配置されるカメラであって、レンズアセンブリを介して光を受けて画像を生成するように構成されているカメラを更に備える。アイウェアは、レンズアセンブリ及びカメラの一部に重なるコーティングであって、レンズアセンブリの一部の光学特性を、レンズアセンブリの残りの部分から独立して設定するように構成されているコーティングを更に備える。
【００２５】
１つの態様において、アイウェアは、無線信号を送受信するための無線インタフェース、又は、オーディオ信号を入出力するためのオーディオインタフェースのうちの少なくとも１つを更に備える。
【図面の簡単な説明】
【００２６】
以下の図を参照しながら、例示的な実施形態を記載する。
【００２７】
【図１Ａ】本開示の実施形態に係る調光可能なアイウェア及びその動作の一例を示す図である。
【図１Ｂ】本開示の実施形態に係る調光可能なアイウェア及びその動作の一例を示す図である。
【図１Ｃ】本開示の実施形態に係る調光可能なアイウェア及びその動作の一例を示す図である。
【図１Ｄ】本開示の実施形態に係る調光可能なアイウェア及びその動作の一例を示す図である。
【００２８】
【図２Ａ】本開示の実施形態に係る、図１Ａ〜図１Ｄの調光可能なアイウェアのレンズアセンブリの例を示す図である。
【図２Ｂ】本開示の実施形態に係る、図１Ａ〜図１Ｄの調光可能なアイウェアのレンズアセンブリの例を示す図である。
【図２Ｃ】本開示の実施形態に係る、図１Ａ〜図１Ｄの調光可能なアイウェアのレンズアセンブリの例を示す図である。
【図２Ｄ】本開示の実施形態に係る、図１Ａ〜図１Ｄの調光可能なアイウェアのレンズアセンブリの例を示す図である。
【００２９】
【図３Ａ】本開示の実施形態に係る、光センサを有する調光可能なアイウェアの例を示す図である。
【図３Ｂ】本開示の実施形態に係る、光センサを有する調光可能なアイウェアの例を示す図である。
【図３Ｃ】本開示の実施形態に係る、光センサを有する調光可能なアイウェアの例を示す図である。
【図３Ｄ】本開示の実施形態に係る、光センサを有する調光可能なアイウェアの例を示す図である。
【図３Ｅ】本開示の実施形態に係る、光センサを有する調光可能なアイウェアの例を示す図である。
【００３０】
【図４Ａ】本開示の実施形態に係る、ユーザ入／出力インタフェースを有する調光可能なアイウェアの例を示す図である。
【図４Ｂ】本開示の実施形態に係る、ユーザ入／出力インタフェースを有する調光可能なアイウェアの例を示す図である。
【図４Ｃ】本開示の実施形態に係る、ユーザ入／出力インタフェースを有する調光可能なアイウェアの例を示す図である。
【００３１】
【図５Ａ】本開示の実施形態に係る、図１Ａ〜図１Ｄの調光可能なアイウェアのレンズアセンブリの例を示す図である。
【図５Ｂ】本開示の実施形態に係る、図１Ａ〜図１Ｄの調光可能なアイウェアのレンズアセンブリの例を示す図である。
【００３２】
【図６Ａ】本開示の実施形態に係る、図１Ａ〜図３Ｅの調光可能なアイウェアの例の構成要素の例を示す図である。
【図６Ｂ】本開示の実施形態に係る、図１Ａ〜図３Ｅの調光可能なアイウェアの例の構成要素の例を示す図である。
【図６Ｃ】本開示の実施形態に係る、図１Ａ〜図３Ｅの調光可能なアイウェアの例の構成要素の例を示す図である。
【００３３】
これらの図は、単に例示の目的で、本開示の実施形態を示している。当業者であれば、図示の構造及び方法の代替的な実施形態が、本開示の原則又は謳われる利益から逸脱することなく用いられ得ることを以下の説明から容易に認識するであろう。
【００３４】
添付の図において、類似の構成要素及び／又は特徴は、同じ参照符号を有し得る。更に、同じタイプの様々な構成要素は、類似の構成要素を区別するダッシュ及び第２の符号を参照符号に続けることで区別され得る。本明細書において、第１の参照符号のみが使用される場合、その記載は、第２の参照符号に関わらず同じ第１の参照符号を有する類似の構成要素の任意のものに適用可能である。
【発明を実施するための形態】
【００３５】
下記では、説明の目的で、特定の発明的な実施形態の完全な理解を提供するために、具体的な詳細が記載される。しかしながら、これらの具体的な詳細を伴わずに、様々な実施形態が実践され得ることが明らかである。図及び説明は、限定することを意図していない。
【００３６】
サングラス等の保護アイウェアは、高エネルギー光（例えば、太陽光）が目に損傷又は不快感を与えることを防止することができる。サングラスは、一般に、光パワーの特定の割合を遮断及び／又は吸収して、目が全光パワーを受けることを防止することができるレンズを備える。サングラスは、目を高エネルギー光から保護することはできるが、光パワーを吸収／遮断することが原因で、弱光環境において、サングラスを着用しているユーザの視知覚を大幅に阻害し得る。結果として、ユーザは、弱光環境においてサングラスを外す必要があり得、これがユーザエクスペリエンスを低下させる。
【００３７】
本開示の実施形態は、上述の課題に対処できる調光可能なアイウェアを提供する。アイウェアは、レンズアセンブリ及び回路を備える。レンズアセンブリは、レンズと、レンズ上に形成される液晶層とを備える。駆動回路は、液晶層に結合されており、周囲光の強度の指示に基づいて、液晶分子の配向を調整するように液晶層に信号を印加するように構成されている。液晶分子の配向を調整することで、周囲光強度に基づいてレンズアセンブリの光線透過率が調整される。
【００３８】
液晶層は、例えば、ねじれネマティック（ＴＮ）効果、ゲスト−ホスト効果、電場制御複屈折（ＥＣＢ）、パイセル等を含む様々なメカニズムに基づいて、レンズアセンブリの透過率を調整することができる。これらのすべての例において、駆動回路は、液晶層内の液晶分子の配向及び配列を調整するように液晶層にわたって電場を調整することができ、これにより、レンズアセンブリを通過してユーザの目に届く入射光の一部を変化させ、それによってレンズアセンブリの光線透過率を調整することができる。駆動回路は、周囲光強度に基づいて電場を調整することができる。例えば、駆動回路は、弱光環境（例えば、屋内）においてレンズアセンブリの光線透過率を上昇させるように、また強光環境（例えば、屋外）においてレンズアセンブリの光線透過率を低下させるように、電場を調整することができる。
【００３９】
駆動回路は、様々な供給源から周囲光強度情報を受信することができる。いくつかの例において、調光可能なアイウェアは、周囲光強度を感知する光センサを含んでよい。光センサの１つの例は、周囲光強度を反映する電圧（又は電流）を生成し、駆動回路にこの電圧／電流を提供して、液晶層に対して対応する電場を生成することができる、ソーラーセルであり得る。いくつかの例において、１つ又は複数のソーラーセルは、ハウジング内に包囲することができる。ハウジングは、アイウェアを形成するように一対のレンズアセンブリを接続する接続構造の一部であり得る、又は、より良い外観のために、アイウェアのレンズアセンブリの背後にあり得る。ハウジングは、ソーラーセルを周囲光に曝露するピンホールを更に含んでよい。ピンホールとソーラーセルとの間には、周囲光をソーラーセルの表面にわたってより一様に分散させるように導光体が設けられてよく、ソーラーセルの出力が周囲光強度をより良好に示すことができるようにしてある。いくつかの例において、アイウェアは、ユーザがレンズアセンブリの光線透過率を選択するのを可能にするスイッチを備えてよく、駆動回路は、ユーザの選択に基づいてレンズアセンブリの光線透過率を調整することができる。
【００４０】
更なる構成は、ユーザエクスペリエンスの更なる向上のために提案される。例えば、レンズアセンブリは、液晶層によって制御される偏光の偏光角に基づいて調整可能な光線透過率をもたらすように、液晶層を間に挟んだ一対の偏光子を含んでよい。偏光子による変化する光吸収率によって生じ、アイウェアを通してユーザが知覚する視覚的アーティファクト（例えば、黒色帯）を低減させるために、液晶層による偏光の回転角と偏光子の偏光軸間の角度との間にわずかな不一致を導入することができる。別の例として、レンズアセンブリは、レンズの複屈折に続く偏光層における干渉によって生じ、ユーザが知覚する虹むらを低減又は排除するために、超複屈折フィルム（ＳＲＦ（登録商標））等の追加のポリエステルフィルムを備えてよい。別の例として、レンズアセンブリのレンズは、２つの偏光子による光の選択的吸収、及び、液晶層による可視光のレタデーションを補償するために、特定の周波数範囲（例えば、橙色）の可視光を選択的に透過させるように構成することができ、これにより、アイウェアを通したユーザの視知覚を向上させることができる。
【００４１】
本開示の実施形態では、アイウェアは、周囲光強度に基づいて光線透過率を調整できる。これにより、ユーザは、高エネルギー光への曝露から保護されながら、ユーザが位置する環境に関わらずアイウェアを通して良好な視知覚を得ることが可能になる。結果として、ユーザエクスペリエンスを向上させることができる。
【００４２】
図１Ａ、図１Ｂ、図１Ｃ、及び図１Ｄは、いくつかの実施形態に係る調光可能なアイウェア１００及びその動作の一例を示している。図１Ａに示すように、アイウェア１００は、任意選択のフレーム１０２と、１つ又は複数のレンズアセンブリ１０４とを備える。図１Ａの例において、アイウェア１００は、接続構造１０６によって接続される２つのレンズアセンブリ１０４ａ及び１０４ｂを含んでよい。図１Ｂの例において、アイウェア１００は、フレーム１０２によって保持される単一のレンズアセンブリ１０４を備えてよい。いくつかの例において、アイウェア１００は、フレームが無くてよいし、単一のレンズアセンブリ１０４、又は、接続構造１０６によって接続される２つのレンズアセンブリ１０４ａ及び１０４ｂを備えてよい。いずれの例においても、１つ又は複数のレンズアセンブリ１０４は、周囲光強度に基づいて構成／調整できる、構成可能な光線透過率を有することができる。具体的には、図１Ｃに示すように、高い周囲光強度を伴う環境（例えば、太陽の下の屋外）において、１つ又は複数のレンズアセンブリ１０４を通過してユーザの目（図１Ａ〜図１Ｄには図示せず）に入る光の強度を低減させ、目を高エネルギー光への曝露から保護するように、１つ又は複数のレンズアセンブリ１０４の光線透過率を減少させることができる。さらに、図１Ｄに示すように、低い周囲光強度を伴う環境（例えば、夜の屋外、屋内等）において、弱光環境においてアイウェア１００を着用しているときに、ユーザが妥当な視力を維持できるように、１つ又は複数のレンズアセンブリ１０４の光線透過率を上昇させることができる。 
【００４３】
図２Ａ及び図２Ｂは、いくつかの実施形態に係る、１つ又は複数のレンズアセンブリ１０４の例を示している。図２Ａに示すように、１つ又は複数のレンズアセンブリ１０４は、レンズ２０２と、液晶層２０４と、任意選択の第１の偏光層２０６及び第２の偏光層２０８とを備えてよい。入射光２１０は、１つ又は複数のレンズアセンブリ１０４に入り、ユーザの目２１４に入り得る出力光２１２として、１つ又は複数のレンズアセンブリ１０４から出ることができる。レンズ２０２は、ガラス、ポリエステル、ポリカーボネート等で作製できる。いくつかの例において、レンズ２０２は、光の特性を変化させることなく光を通すように、平坦とすることができる。いくつかの例において、レンズ２０２は、ユーザの視力を矯正するために出力光２１２の特性を変化させるように、特定の形状（例えば、凹状、凸状等）を有することができる（例えば、近視（ｍｙｏｐｉａ（ｎｅａｒ−ｓｉｇｈｔｅｄｎｅｓｓ））を矯正するための凹状レンズ、遠視（ｈｙｐｅｒｏｐｉａ（ｆａｒ−ｓｉｇｈｔｅｄｎｅｓｓ））を矯正するための凸状レンズ等）。近視矯正レンズは、通例、球面状に湾曲している。液晶層２０４は、液晶層２０４を近視矯正球面レンズ上に積層するために、可撓性だが三次元変形を受けても壊れないように十分頑丈であるように作製することができる。
【００４４】
液晶層２０４は、１つ又は複数のレンズアセンブリ１０４の光線透過率を変化させて、１つ又は複数のレンズアセンブリ１０４を通過する入射光２１０の一部を出力光２１２になるように調整することができる。図２Ａは、調整可能な光線透過率を提供する液晶層２０４の１つの構成例を示している。図２Ａに示すように、液晶層２０４は、偏光が液晶層を横切る際に偏光の偏光軸を回転させることができる、ねじれネマティック（ＴＮ）液晶層として構成することができる。ここで、回転角は、駆動回路によって液晶層にわたって印加される電場によって調整可能である。例えば、図２Ａに示すように、電場が印加されていない場合、液晶分子は、螺旋構造を形成するように、ねじれた構成を有することができる。螺旋構造は、偏光が液晶層を通過する際に、特定の角度（例えば、９０度の角度）だけ偏光の偏光軸を回転させる。また、電場が印加されている場合、液晶分子は、電場と平行に整列することができる。偏光の偏光軸は、光が整列した液晶分子を横切る際に、回転されずに維持することができる。
【００４５】
液晶層２０４は、第１の偏光層２０６と第２の偏光層２０８との間に挟むことができる。第１の偏光層２０６は、偏光軸Ａを有することができ、第２の偏光層２０８は、偏光軸Ｂを有することができる。２つの偏光軸は、互いに対して９０度の角度を形成することができる。入射光２１０は、レンズ２０２を介して入り、第１の偏光層２０６によって直線偏光させることができる。直線偏光は、液晶層２０４によって、上述したような電場によって構成される角度だけ回転させることができる。以下でＴＮＷとしてラベル付けされるゼロ場における直線偏光の透過率は、次のように、グーチ−タリー理論に従い波長によって決まる。 
【００４６】
【数１】
2021536598.tif 000003
【００４７】
式１において、
【数２】
2021536598.tif 000004
は、ねじれ角（ＴＮモードにおいて
【数３】
2021536598.tif 000005
＝π／２）とすることができ、ｕは、次の式によって与えられるレタデーション指数とすることができる。
【００４８】
【数４】
2021536598.tif 000006
【００４９】
式２において、λは、波長とすることができ、Δｎは、液晶混合物の複屈折とすることができ、ｄは定数である。
【００５０】
電場が印加されていない場合には、液晶層２０４が、偏光の偏光軸を第２の偏光層２０８の偏光軸Ｂと整列するように回転させるように、最大光線透過率を達成することができる。偏光の偏光軸が電場の印加が原因で回転されない場合には、偏光の偏光軸が回転されずに第２の偏光層２０８の偏光軸Ｂに垂直になるように、最小光線透過率を達成することができる。このような場合、偏光は、第２の偏光層２０８の吸収軸と整列し、最大吸収率で第２の偏光層２０８によって吸収することができる。電場の大きさを調整して、偏光の回転角を調整することができ、これにより、レンズアセンブリ１０４を通過する入射光２１０の一部を出力光２１２として変化させることができる。 
【００５１】
ＴＮ液晶は、様々な技術的利点を提供し得る。例えば、ＴＮ液晶は、一般に、極めて速い応答特性を有し、非常に短時間（例えば、１００ミリ秒以下）のうちに光線透過率を調整することができる。また、ＴＮ液晶は、良好な遮光性も提供し得る。例えば、ＴＮ液晶の最小光線透過率は、０．１％に達し得る。これらのすべての特性によって、光線透過率の広い構成範囲及び迅速な切り替えを提供するアイウェア１００が実現され、ユーザエクスペリエンスを向上させることができる。 
【００５２】
図２Ｂは、調整可能な光線透過率を提供する液晶層２０４の別の構成例を示している。図２Ｂに示すように、１つ又は複数のレンズアセンブリ１０４は、レンズ２０２と液晶層２０４とを備えるが、第１の偏光層２０６及び第２の偏光層２０８は備えない。液晶層２０４は、ホスト材料として機能する液晶分子２３０と、ゲスト材料として機能する染料分子２４０とを備えることができる。液晶分子２３０及び染料分子２４０は、２つの基板２５０及び２５２の間に挟まれる。２つの基板２５０及び２５２は、電極（図２Ｂには図示せず）に取り付けられるか又はその一部とすることができる。液晶分子２３０及び染料分子２４０は、ゲスト−ホスト効果に基づいて、１つ又は複数のレンズアセンブリ１０４の光線透過率を調節することができる。具体的には、染料分子２４０のタイプに応じて、染料分子２４０は、染料分子の長軸に垂直（又は平行）な電場を有する光を吸収することができる。駆動回路が基板２５０及び２５２の間の液晶分子２３０にわたって電場を印加すると、液晶分子２３０及び染料分子２４０の配向は電場に応じて変化することができ、これにより、入射光２１０の電場に対する染料分子の相対配向が変化する。結果として、染料分子２４０によって吸収される入射光２１０の一部及び１つ又は複数のレンズアセンブリ１０４の光線透過率を、液晶層２０４にわたって印加される電場によって調整することができる。
【００５３】
ＴＮ液晶に比較すると、ゲスト−ホスト効果を利用する液晶層は、入射光を吸収するのに偏光子に依存する必要がなく、これにより、妥当な遮光性を提供しながら、１つ又は複数のレンズアセンブリ１０４の全体的な実現可能光線透過率を上昇させることができる。例えば、ゲスト−ホスト効果を利用すると、光線透過率範囲は、１０％〜８０％とすることができる。１０％〜８０％の透過率範囲を得るために、その吸収軸を９０度だけ離した２つのゲスト−ホストセルを設けることができる。ゲスト−ホスト混合物には、カイラル成分が加わっていない（又は非常に少量のカイラル成分が加わっている）。
【００５４】
可変光線透過率を実現するための他の技術が提案される。１つの例において、基板２５０及び２５２をラビング処理することができる。ラビング処理によって基板の表面に溝が生じ、これにより、液晶分子２３０の初期配向を、液晶層の光線透過率が最小となるホモジニアス平面配向に設定する表面エネルギーが導入される。基板２５０及び２５２にわたって電圧が印加されると、基板２５０及び２５２間に導入された電場が、液晶分子２３０を各基板に対して角度θで傾けるように上記表面エネルギーに対抗することができ、電圧とともに上昇するチルト角によって、液晶層の光線透過率を上昇させることができる。例えば、図２Ｃに示すように、電圧ｖ１では、液晶分子２３０は各基板に対して角度θ１で傾き、電圧ｖ２では、液晶分子２３０は各基板に対して角度θ２で傾く。液晶分子２３０の配向がホメオトロピック配向に向けて遷移するにつれて、光線透過率は上昇する。
【００５５】
いくつかの例において、おおよそ連続的／単調に可変な光線透過率（例えば、電圧が低下すると透過率が上昇し、その逆も然り）を実現するために、不均衡又は非対称なラビング構成を設けることができる。例えば、基板２５０及び２５２は、異なる密度の溝を有することができ、異なるレベルの表面エネルギーを液晶分子２３０に導入することができる。このような構成は、印加される電圧が透過率の範囲に対応する電圧範囲の中央にある場合に、液晶分子２３０の安定性を向上させることができる。具体的には、２つの基板が類似したラビング処理を受け、類似した表面エネルギーを導入する場合、印加される電圧が中央にあると、電場は２つの非常に類似した表面エネルギーに同時に対抗し得る。結果として、液晶分子２３０は、不安定になり得るとともに異なる配向を呈し得る。これにより、複数のドメインが生成されるとともにヘイズにつながる可能性があり、光線透過率の急激な変化がもたらされる場合がある。 基板間で不均衡又は非対称なラビング構成を有していると、２つの基板間にエネルギー勾配を形成することができ、印加される電圧による電場は、２つの類似した表面エネルギーにもはや同時に対抗しなくなる。これにより、液晶分子２３０の安定性を向上させることができ、液晶分子２３０が電圧に応答して一様に配向されることを確実にすることができる。 
【００５６】
図２Ｄは、入力電圧に対する液晶層２０４の光線透過率のグラフを示している。図２Ｄに示すように、低い電圧が各セルにわたって印加される場合、各セルは、ホモジニアス平面配向からホメオトロピック配向に液晶を配向し直すことができ、これにより、光線透過率を上昇させることができる。高い電圧が各セルにわたって印加される場合、各セルは、ホメオトロピック平面配向にあることができ、これにより、光線透過率を低減させることができる。また、光線透過率は、中央点（５ｖ）を含む電圧に対して単調に変化する。このような構成では、アイウェア１００は、広い構成範囲の光線透過率を提供することができ、これにより、ユーザエクスペリエンスを向上させることができる。
【００５７】
ＴＮ及びゲスト−ホスト効果だけでなく、液晶層２０４は、調整可能な光線透過率を提供するように他の構成を有することができる。例えば、液晶層２０４は、電場制御複屈折（ＥＣＢ）を提供するように構成することができる。ＥＣＢモードは、印加される電圧を用いて、基板の法線と分子の長軸との間の液晶分子のチルト角θ（極角としても知られている）を変化させ、これにより、液晶の複屈折を変化させることができる。別の例として、液晶層２０４は、パイセルとして構成することができる。パイセルは、光学補償ベンドとしても知られている。パイセルにおいて、両方の基板におけるプレチルト角は同じ方向であり、これは基板のパラレル配列とも呼ばれる。フレデリクスＥＣＢセルでは、分子は、２つの基板上で反対の方向においてプレチルト角での一様な配列を有してよく、これは基板のアンチパラレル配列とも呼ばれる。パイセルにわたって電場を印加することができ、その後、電場をオフに切り替えることができる。電場をオフに切り替えると、分子が緩和して元の状態に戻り、分子の流れが引き起こされ得る。中間層における分子はトルクを受ける場合があり、これにより、材料の逆流と、元の状態への大きな角度での分子の回転とが引き起こされ得る。しかしながら、これは切り替え速度を低下させる可能性がある。パイセルに関しては、電場がオフに切り替えられる場合、中間層における分子は、緩和してオフ状態に戻るときもトルクを受けない。分子は、比較的小さな角度を回転するだけで元の状態に戻り、その結果、切り替え速度がより速くなり得る。
【００５８】
図２Ａ及び図２Ｂのいずれの例においても、駆動回路は、液晶層２０４にわたって印加される電場を印加して、液晶分子の配向及び／又はねじれ構造を変化させることができる。電力消費を低減させるために、液晶層２０４は、液晶分子の配向及び／又はねじれ構造を変化させるのに比較的弱い電場が必要とされるように、比較的低い切り替え閾値を有するように構成することができる。一部の実施形態において、閾値電圧は、０．６〜０．８Ｖに設定することができる。非常に高い誘電異方性、高い弾性定数、及び極めて高い純度を有する液晶を選択する等、様々な技術を使用して液晶層２０４の閾値電圧を低減させることができる。ねじれネマティックのための閾値電場の式は、次の通りとすることができる。
【００５９】
【数５】
2021536598.tif 000007
【００６０】
式３において、ｈは、セル厚とすることができ、Ｋ２２は、ねじれ弾性定数とすることができ、Δεは、液晶混合物の誘電異方性とすることができる。
【００６１】
駆動回路は、液晶層２０４にわたってＡＣ電圧を出力し、電場を生成することができる。液晶中の不純物は、液晶分子を分解し得るＤＣ電流の流れを維持し得るので、信頼性を向上させるとともに液晶の損傷を回避するために、電場を駆動するのにＡＣ電圧を提供することができる。ＡＣ電圧の大きさは、液晶層２０４の閾値電圧と、液晶分子の配向及び／又はねじれ角が周囲光強度を反映することができるように周囲光強度とに基づいて構成することができる。このような構成により、１つ又は複数のレンズアセンブリ１０４の光線透過率を、周囲光強度に基づいて構成することができる。
【００６２】
駆動回路は、様々な供給源から周囲光強度情報を受信することができる。いくつかの例において、調光可能なアイウェアは、周囲光強度を感知する光センサを備えてよい。図３Ａは、周囲光強度を感知する光センサ３０２を有するアイウェア１００の一例を示している。光センサ３０２は、例えば、接続構造１０６、及び／又は、フレーム１０２上の任意の位置に配置することができる。光センサ３０２は、フォトダイオード等の、光を電気信号に変換できる任意のデバイスを備えることができる。
【００６３】
光センサ３０２の１つの例は、周囲光強度を反映するＤＣ電流又はＤＣ電圧を駆動回路に提供することができる、ソーラーセル等の光起電力セルとすることができる。ソーラーセルは、バッテリーが必要でないように電力を駆動回路に提供することもでき、これにより、アイウェア１００の重量及びサイズを低減させることができる。駆動回路は、液晶層２０４にわたって電場を生成するために、ＤＣ電流／電圧をＡＣ電圧に変換するパワーコンバータを備えることができる。いくつかの例において、ソーラーセルは、矩形の小型シリコン系ソーラーセルを含むことができ、６ミリメートル（ｍｍ）×８ｍｍ〜１０ｍｍ×１０ｍｍの範囲の寸法を有することができる。
【００６４】
図３Ｂ〜図３Ｅは、アイウェア１００におけるソーラーセルの構成例を示している。図３Ｂに示すように、アイウェア１００は、ソーラーセル３０６を包囲するハウジング３０４を備えることができる。ハウジング３０４は、フレーム１０２上で、レンズアセンブリ１０４の背後に（ユーザに面する側で、負のＹ方向に向けて）配置することができる。ハウジング３０４は、フレーム１０２内に収容される電極に電気的に接続することができる駆動回路も包囲する。駆動回路は、ソーラーセル３０６からＤＣ電流／電圧を受信して、対応するＡＣ電圧を生成し、液晶層２０４にわたる可変電場を生成するように、電極にＡＣ電圧を送信することができる。
【００６５】
いくつかの例において、図３Ｂに示すように、フレーム１０２は、ハウジング３０４内に包囲されているソーラーセルを周囲光に曝露させるピンホール３０８を備えることができる。ピンホール３０８は、光がユーザの前側から（例えば、正のＹ方向から）ハウジング３０４に入るのを容易にし、他の方向から（例えば、ユーザの側方から、上方又は下方から等）の光がハウジング３０４に入るのを阻むように構成することができる。いくつかの例において、ピンホール３０８は、３ｍｍ×３ｍｍの寸法を有することができる。
【００６６】
ピンホール３０８は、周囲光強度を正確に示さない反映光に対するソーラーセル３０６の感度を低下させながら、周囲光強度を正確に示すことができる光源（例えば、太陽、ランプ等）から直接放射される光に対するソーラーセル３０６の感度を上昇させることができる。このような構成により、ソーラーセル３０６の出力（及び駆動回路の出力）と周囲光強度との相関を向上させることができる。さらに、ピンホール３０８は、ソーラーセルが集光するのを可能にしながらソーラーセル全体を曝露することを防止することもでき、これにより、アイウェアの周囲光強度を感知する能力及び対応して光線透過率を調整する能力を維持しながら、アイウェア１００の外観を向上させることができる。
【００６７】
いくつかの例において、アイウェア１００は、ピンホール３０８とソーラーセルとの間に導光体３１０を更に備える。導光体３１０は、ピンホール３０８を介して光のナロービームを受け取ることができ、光エネルギーをソーラーセルにわたってより一様に投射するように、光シートをソーラーセル上に投射することができる。導光体３１０は、アクリル材料を含んでよく、光を拡散するように構成されている表面を有することができる。導光体３１０を介して受け取った光シートに基づくソーラーセルの典型的な電圧範囲は、０〜２．１Ｖとすることができる。
【００６８】
図３Ｃ及び図３Ｄは、ソーラーセル及びハウジング３０４の他の構成を示している。図３Ｃに示すように、フレーム１０２上に、ハウジング３０４上（例えば、ハウジング３０４が、２つのレンズアセンブリ１０４の間の接続構造１０６の一部となっている場所）に、及び／又は、図３Ｄに示すように、ハウジング３０４を部分的に覆うようにレンズアセンブリ１０４上に、コーティング３２０を配置することができる。コーティング３２０は、暗化コーティングとすることができ、スパッタプロセスに基づいてフレーム１０２及び／又はレンズアセンブリ１０４に付着させることができる。コーティング３２０は、光を部分的に遮断し、一部の光がハウジング３０４及びソーラーセル３０６に入ることを許容することができる。このような構成により、ハウジング３０４及びソーラーセル３０６を部分的に覆い、ピンホール３０８を伴わずにアイウェア１００の外観を向上させることができる。さらには、ピンホール３０８を除去することで、ソーラーセル３０６は、導光体３１０を伴わずに一様な光シートを受け取ることができる。結果として、ハウジング３０４のサイズ及び重量並びにアイウェア１００の全体的なサイズ及び重量を低減することができる。ピンホール３０８を除去することで、ハウジング３０４の配置の融通性も向上させることができる。図３Ｄでは、ハウジング３０４ａ及び３０４ｂ（並びにソーラーセル３０６）は、それぞれ、レンズアセンブリ１０４ａ及び１０４ｂの背後に配置することができ、ソーラーセル３０６が受け取る光の量を最大化するように、コーティング３２０ａ及び３２０ｂによって部分的に覆うことができる。
【００６９】
図３Ｅは、ソーラーセルの別の構成を示している。図３Ｅに示すように、ソーラーセルは、１つ又は複数の透明ソーラーメンブレン３３０（例えば、メンブレン３３０ａ、３３０ｂ等）の形態とすることができる。いくつかの例において、１つ又は複数の透明ソーラーメンブレン３３０は、（例えば、電気メッキによって）ユーザの目２１４に面する（レンズアセンブリ１０４の）レンズ２０２の縁部（例えば、上縁部及び下縁部、側縁部等）に形成することができる。また、１つ又は複数の透明ソーラーメンブレン３３０の合計表面は、アイウェア１００によって提供されることになる透過率の範囲に基づき得る、駆動回路によって供給されることになる所要電圧範囲に基づいて構成することができる。図３Ｂ〜図３Ｄに関して記載されているシリコンソーラーセルに比較して、透明ソーラーメンブレン３３０は、レンズアセンブリ１０４の一部としてレンズ２０２と統合することができ、追加のスペースを取らず、これにより、フレーム１０２をよりコンパクトかつより軽量とすることが可能になる。
【００７０】
光センサ（光起電力セルを含んでよい）だけでなく、駆動回路は、１つ又は複数のレンズアセンブリ１０４の光線透過率を設定するために、ユーザによって手動制御することもできる。図４Ａは、光線透過率を制御するためにユーザによる入力を受けるための入力インタフェース４０２を有するアイウェア１００の一例を示している。入力インタフェース４０２は、例えば、メカニカルスイッチ、タッチパッド等を含むことができ、フレーム１０２上、フレーム１０２に接続されているテンプル４０４上等で任意の位置に位置することができる。駆動回路のマイクロコントローラは、入力インタフェース４０２において検出されるユーザによる入力に基づいて異なる電圧を出力して、液晶層にわたって印加される電場及びレンズアセンブリ１０４の光線透過率を調整することができる。いくつかの例において、手動制御によって提供される光線透過率範囲は、１％〜４０％とすることができる。光線透過率範囲は、上記で説明したように、偏光子の特性に基づいて設定することができる。アイウェア１００は、駆動回路及び入力インタフェース４０２に電力を供給するために、リチウムバッテリ等のバッテリーも備える。液晶閾値電圧が０．８Ｖに設定されている場合、アイウェア１００の電力消費は、０．２５ｍＷとすることができる。そのような動作条件下では、典型的なリチウムバッテリは、約１２０時間のバッテリー寿命を提供することができる。
【００７１】
入力インタフェース４０２に加えて、アイウェア１００は、ユーザエクスペリエンスを向上させるように他のインタフェース回路を備えてよい。例えば、図４Ｂに示すように、アイウェア１００は、レンズアセンブリ１０４ａ及び１０４ｂの背後に配置され、レンズアセンブリ１０４ａ及び１０４ｂを介して光を捕捉して画像を生成することができる、一対のカメラ４０６（例えば、４０６ａ、４０６ｂ等）を備えてよい。いくつかの例において、アイウェア１００は、カメラ４０６ａ及び４０６ｂにそれぞれ重なるコーティング４０８ａ及び４０８ｂを備えてよい。コーティングは、例えば、各レンズアセンブリの液晶層２０４の基板上にエッチングされる酸化インジウムスズ（ＩＴＯ）層を含んでよい。ＩＴＯ層は、液晶層２０４の残りの部分から分離して動作する領域を形成することができる。例えば、ＩＴＯ層は、液晶層２０４を通過してカメラ４０６ａ及び４０６ｂによって捕捉される光の波長範囲をフィルタして制御することができる。別の例として、ＩＴＯ層は、ＩＴＯ層が重なる液晶層２０４の領域にわたって、別個の一対の電極を形成することもできる。このような構成により、例えば、カメラ４０６ａ及び４０６ｂによる撮像動作の質を向上させるために、ＩＴＯ層が重なる液晶層２０４の領域の光線透過率を液晶層２０４の残りの部分から独立して制御することが可能になる。
【００７２】
さらに、図４Ｃを参照すると、アイウェア１００は、テンプル４０４内にインタフェース回路４１０を備えてもよい。インタフェース回路４１０は、例えば、無線インタフェース回路（例えば、Ｂｌｕｅｔｏｏｔｈ（登録商標）規格に基づく）、及び、オーディオ入／出力インタフェース（例えば、マイク、オーディオスピーカ等）を備えてよい。無線インタフェース回路は、例えば、オーディオデータを搬送する無線信号を受信し、オーディオデータをオーディオ信号として出力するようにオーディオスピーカに提供することができる。無線インタフェース回路は、カメラ４０６ａ及び４０６ｂによって捕捉される画像データ及びマイクによって捕捉されるデータを他の装置に送信することもできる。
【００７３】
第１の偏光層２０６及び第２の偏光層２０８によって生じる視覚的アーティファクトを軽減させるために等、アイウェア１００によって提供されるユーザエクスペリエンスを更に向上させるために、調整可能な光線透過率だけでなく、更なる技術が提案される。上述したように、レンズアセンブリ１０４は、調整可能な光線透過率をもたらすように、液晶層２０４を間に挟む第１の偏光層２０６及び第２の偏光層２０８を備えてよい。光線透過率は、液晶層２０４内の液晶分子が整列しており、（第１の偏光層２０６によって偏光された）偏光が回転されずに第２の偏光層２０８の偏光軸に垂直になる場合に、最小とすることができる。このような場合、入射光２１０の多くを第２の偏光層２０８によって吸収することができ、これにより、レンズアセンブリ１０４の光線透過率を最小にすることができる。
【００７４】
しかしながら、第２の偏光層２０８の光吸収率は、入射光２１０の第２の偏光層２０８に対する入射角に基づいて変化し得、これにより、レンズアセンブリ１０４を通して様々な視野角でユーザが見る際に視覚的アーティファクトが生じ、ユーザの視知覚に影響を与える可能性がある。図５Ａは、そのような一例を示している。図５Ａに示すように、ユーザは、液晶層２０４が最小光線透過率を提供するように構成されている状態で、レンズアセンブリ１０４の様々な点を通して様々な角度で見る場合がある。ユーザがレンズアセンブリ１０４の中央の点（符号「Ｃ」で印されている）を通して見る場合、第２の偏光層２０８の吸収率は最高であり得、一方、ユーザがレンズアセンブリ１０４の側部に近い点（符号「Ｄ」で印されている）を通して見る場合、第２の偏光層２０８の吸収率は減少し得る。吸収率の差に起因して、レンズアセンブリ１０４の中央（光吸収率が最高）は、レンズアセンブリ１０４の側部に比較して、黒色帯として出現し得る。黒色帯の出現は、アイウェア１００を介したユーザの視知覚に影響を与える可能性があり、ユーザエクスペリエンスを低下させ得る。 
【００７５】
暗色バンドの出現を低減させるために、図５Ｂに示すように、第１の偏光層２０６と第２の偏光層２０８とを、その偏光軸が互いに垂直にならないように配向することができる。このような構成では、液晶分子が整列しており、偏光を第１の偏光層２０６から回転させない場合でも、偏光は、第２の偏光層２０８の吸収軸と完全に整列せず、最大吸収率で吸収されない。このような構成は、レンズアセンブリ１０４の中央部分と他の部分との間での第２の偏光層２０８の吸収率の差を低減させることができ、これにより、レンズアセンブリ１０４の中央における黒色帯の出現を低減又は排除することができる。いくつかの例において、第１の偏光層２０６及び第２の偏光層２０６は、それらの偏光軸が１１０度の角度を形成するように配向することができる。最大光線透過率が提供されるべき場合には、液晶層２０４は、第１の偏光層２０６の偏光軸と第２の偏光層２０６の偏光軸とを分離している１１０度の角度に合致するように偏光を１１０度の角度だけ回転させるように構成することができる。
【００７６】
加えて、レンズアセンブリ１０４の他の構成要素は、第１の偏光層２０６及び第２の偏光層２０８によって生じる視覚的アーティファクトを補償するように構成することができる。例えば、第１の偏光層２０６と第２の偏光層２０８との組み合わせは、その吸収軸が互いに垂直である場合に、特定の波長範囲の光を選択的に吸収し得る。結果として、ユーザは、第１の偏光層２０６及び第２の偏光層２０８を介して青色光を見る場合があり、同時に、レンズアセンブリ１０４もまた外側から青色に見える場合があり、そのいずれもユーザエクスペリエンスを低下させ得る。第１の偏光層２０６及び第２の偏光層２０８によって光が選択的に吸収されることで生じる視覚的アーティファクトを補償するために、図６Ａに示すように、レンズ６０２は、橙色光６０４（例えば、波長範囲５９０〜６３５ナノメートル（ｎｍ）の光）を選択的に透過させながら他の波長の光を遮断するように構成することができる。一方で、第１の偏光層２０６及び第２の偏光層２０８は、青色光６０６を透過させることができ、レンズアセンブリ１０４の光線透過率が最大である場合に、この青色光６０６を橙色光６０４と組み合わせて白／透明光を生成することができる。レンズアセンブリ１０４の光線透過率が減少している場合、ユーザは、橙色光６０４と青色光６０６とが組み合わせられることで、レンズアセンブリ１０４を介して暗色（例えば、灰色、灰黒色等）を知覚することもでき、従来のサングラスを着用しているのと類似した体験をすることができる。
【００７７】
さらに、図６Ｂに示すように、超複屈折フィルム（ＳＲＦ）等のポリエステルフィルム６２０をレンズ２０２と第１の偏光層２０６との間に追加することができる。ポリエステルフィルム６２０は、ユーザが知覚する虹むらを低減又は排除するように追加することができる。虹むらは、レンズ２０２における不均一な複屈折によって生じ得る。不均一な複屈折は、直線偏光を円偏光に変換し得る。円偏光は、第１の偏光層２０６において干渉を受けて虹むらを生じ得る。虹むらを低減させるために、ポリエステルフィルム６２０は、レンズ２０２からの円偏光を直線偏光に変換することができ、これにより、光が第１の偏光層２０６を通過する際の干渉及び虹むらの生成を低減させることができる。
【００７８】
また、図６Ｃに示すように、レンズ２０２及び第１の偏光層２０６の代わりに、回折格子を有するレンズ６３０を使用することができる。レンズ６３０は、石英で作製することができる。回折格子は、格子に平行な偏光軸を有する光を遮断することができ、第１の偏光層２０６に類似する偏光効果を提供することができる。レンズ６３０の偏光軸は、第２の偏光層２０８に垂直とすることができ、これにより、液晶層２０４による回転角の調整に基づくレンズアセンブリ１０４の光線透過率の調整が可能になる。 
【００７９】
本開示の実施形態の前述の説明は、例示の目的で提示されており、網羅的であることも、又は本開示を開示される正確な形態に限定することも意図していない。当業者であれば、上記開示に鑑みて、多数の変更及び変形が可能であることを理解できる。
【００８０】
本明細書の一部では情報の操作のアルゴリズム及び象徴的な表現によって本開示の実施形態が説明されている。これらのアルゴリズムの記載及び表現は、データ処理分野の当業者が自身の研究の主旨を他の当業者に有効に伝えるために一般に使用するものである。これらの操作は、機能、計算、又は論理によって記載されているが、コンピュータプログラム又は等価な電気回路、マイクロコード等によって実装されるものと理解される。さらに、一般性を損なうことなく、これらの動作の構成をモジュールと呼ぶことが時には好都合であることもわかっている。記載された動作及びそれらの関連するモジュールは、ソフトウェア、ファームウェア、及び／又はハードウェアで具現されてよい。
【００８１】
記載される段階、動作、又はプロセスは、１つ又は複数のハードウェア又はソフトウェアモジュールによって、それ単独で又は他の装置との組み合わせで実行又は実装されてよい。いくつかの実施形態において、ソフトウェアモジュールは、記載される段階、動作、又はプロセスのいずれか又はすべてを実行するためにコンピュータプロセッサによって実行できるコンピュータプログラムコードを含むコンピュータ可読媒体を備えるコンピュータプログラム製品とともに実装される。
【００８２】
本開示の実施形態は、記載される動作を実行するために装置と関連してもよい。装置は、要求される目的のために特別に構築されてもよいし、及び／又は、コンピュータに格納されたコンピュータプログラムによって選択的にアクティブ化又は再構成される汎用コンピューティングデバイスを含んでもよい。そのようなコンピュータプログラムは、非一時的有形コンピュータ可読記憶媒体に格納されてもよいし、又は、コンピュータシステムバスに結合され得る、電子命令を格納するのに適した任意のタイプの媒体に格納されてもよい。さらに、本明細書で言及される任意のコンピューティングシステムは、シングルプロセッサを備えてもよいし、又は、コンピューティング能力を増大させるためのマルチプロセッサ設計を採用したアーキテクチャとしてもよい。
【００８３】
本開示の実施形態は、本明細書に記載されるコンピューティングプロセスによって生産される製品と関連してもよい。そのような製品は、コンピューティングプロセスから生じる情報を含んでよい。情報は、非一時的有形コンピュータ可読記憶媒体に格納され、任意の実施形態のコンピュータプログラム製品又は本明細書に記載される他のデータの組み合わせを含んでよい。
【００８４】
本明細書で使用される文言は、基本的には読みやすさ及び指示の目的で選択されており、発明の主題を詳述又は制限するために選択されていない場合がある。したがって、本開示の範囲は、この詳細な説明によってではなく、むしろ、この説明に基づく用途に由来する任意の特許請求の範囲によって限定されることが意図されている。したがって、実施形態の本開示は、添付の特許請求の範囲に記載される本開示の範囲の例示であることを意図しており、限定することは意図していない。
【図１Ａ】
2021536598.tif 000008
【図１Ｂ】
2021536598.tif 000009
【図１Ｃ】
2021536598.tif 000010
【図１Ｄ】
2021536598.tif 000011
【図２Ａ】
2021536598.tif 000012
【図２Ｂ】
2021536598.tif 000013
【図２Ｃ】
2021536598.tif 000014
【図２Ｄ】
2021536598.tif 000015
【図３Ａ】
2021536598.tif 000016
【図３Ｂ】
2021536598.tif 000017
【図３Ｃ】
2021536598.tif 000018
【図３Ｄ】
2021536598.tif 000019
【図３Ｅ】
2021536598.tif 000020
【図４Ａ】
2021536598.tif 000021
【図４Ｂ】
2021536598.tif 000022
【図４Ｃ】
2021536598.tif 000023
【図５Ａ】
2021536598.tif 000024
【図５Ｂ】
2021536598.tif 000025
【図６Ａ】
2021536598.tif 000026
【図６Ｂ】
2021536598.tif 000027
【図６Ｃ】
2021536598.tif 000028
【国際調査報告】
2021536598.tif 000029
2021536598.tif 000030
2021536598.tif 000031
2021536598.tif 000032
2021536598.tif 000033